(57)【特許請求の範囲】
【請求項１】
ほぼ直角の四つのコーナー連結具（３）に、四本の枠材（２）が開閉可能に嵌合されて四角形の中空枠状に形成されたフレーム（１）であり、
各々の枠材（２）は、前記連結具（３）に開閉可能に嵌合できる連結用嵌合溝（４）と、展示物（６）を差し込み可能な展示物差し込み溝（５）と、展示物差し込み溝（５）の外側面に形成された嵌合片受け溝（１８）と、展示物差し込み溝（５）内に差し込まれた展示物（６）を支持できる支持部（７）を備え、前記連結用嵌合溝（４）を前記コーナー連結具（３）に取り付けて四角形の中空枠状にしても隣接する二本の枠材の軸方向両端部同士が接合しない長さであり、
コーナー連結具（３）に取り付けられた四本の枠材（２）は個別に外側に倒して開くことも、開いた状態から元の状態まで起立させて閉じることもでき、少なくとも一本の枠材（２）を外側に開くと、開いた開口部から他の三本の枠材（２）の展示物差し込み溝（５）内に展示物（６）の周縁部を差し込むか、又は差し込まれている展示物（６）を引き出すことができ、差し込み後に、外側に開いている枠材（２）を内側に起立させて閉じると、前記展示物（６）を四本の枠材（２）の内側に内装することができ、
前記四本の枠材（２）の連結用嵌合溝（４）の周壁（１３）であって当該周壁（１３）の軸方向両端側に係止溝（１２）があり、当該係止溝（１２）は前記周壁（１３）の端部に開口する開口部（１２ａ）を備え、
前記四本の枠材（２）の軸方向両端部にキャップ（８）が取り付けられ、
夫々のキャップ（８）はキャップ本体（１５）と、キャップ本体（１５）から同じ方向に突設された第一嵌合片（１６）及び第二嵌合片（１７）と、キャップ本体の先端に形成された接合面（８ａ）を備え、
前記第一嵌合片（１６）からは第一差込み片（１６ａ）及び係止突起（１９）が突設され、前記第二嵌合片（１７）からは第二差込み片（１７ａ）が突設され、
前記キャップ本体（１５）と第一嵌合片（１６）及び第二嵌合片（１７）の間に段差を設けてストッパ（２０）が形成され、
前記キャップ（８）が樹脂で成型されて少なくとも第一嵌合片（１６）及び第二嵌合片（１７）が弾性を備え、
前記第一差込み片（１６ａ）が連結用嵌合溝（４）の軸方向端部に差し込まれて、前記係止突起（１９）が枠材（２）の係止溝（１２）内に当該係止溝（１２）の開口部（１２ａ）から嵌入して係止され、前記第二差込み片（１７ａ）が枠材（２）の嵌合片受け溝（１８）の軸方向端部に差し込まれることにより、キャップ（８）が連結用嵌合溝（４）及び展示物差し込み溝（５）の内面との段差を少なくして枠材（２）の軸方向端部に取り付けられ、前記ストッパ（２０）が連結用嵌合溝（４）及び展示物差し込み溝（５）の端面を構成する枠材（２）の端面（２ａ）に突き当たって第一嵌合片（１６）、第二嵌合片（１７）の差し込み長が規制され、
キャップ（８）が取付けられた隣接する二本の枠材（２）を起立させると、それらキャップ（８）の接合面（８ａ）同士が接合して中空枠のコーナー部が形成される、
ことを特徴とするキャップ付きフレーム。
【発明の詳細な説明】
【技術分野】
【０００１】
本発明は絵画、写真、ポスター等の展示物を額装することのできるキャップ付きフレームに関する。
【背景技術】
【０００２】
絵画、写真等を飾るフレーム（額縁）には、従来から、各種形状、構造のものがある。その一つとして、本件出願人が先に出願したフレーム（特許文献１）がある。このフレームは従来からのフレームと同様に壁や支柱等に係止したり吊下げたりすることができる他、本件発明者が先に開発した立体展示装置に係止することもできる。
【０００３】
特許文献１のフレームＡは、図８に示すように、四つのコーナーの連結具Ｂに細長棒状の四本の枠材Ｃが嵌合されて四角形の中空枠に形成されており、いずれか一本の枠材Ｃ又は中空枠のコーナーを形成する二本の枠材(隣接する枠材)Ｃを、図７（ｂ）に示すように外側に開く（倒す）と、それら枠材Ｂの内側に絵や写真等の展示物Ｄを差し込んで枠材Ｃの受縁Ｅにのせることができ、外側に倒れていた枠材Ｃを図７（ｃ）に示すように内側に閉じる（起こす）と、展示物Ｄが枠材Ｂの支持溝Ｆ内にセット（内装）できるようにしてある。
【０００４】
特許文献１のフレームは枠材Ｃの開閉により展示物Ｄを手軽に出し入れでき、従来の額のように裏板を取外したり付け直したりする面倒がないという利点がある。しかし、枠材Ｃは金属製（アルミ製）であり、図８に示すように、各々の枠材Ｃの軸方向両端の角部Ｇが鋭角になっているため、展示物Ｄを出し入れするために枠材Ｃを図８のように外側に開くと、鋭角である角部Ｇが上向きになり、それに作業者の手や指が当たると怪我をする危険があった。
【先行技術文献】
【特許文献】
【０００５】
【特許文献１】特開平９−１６４０４８号公報
【発明の概要】
【発明が解決しようとする課題】
【０００６】
本発明の解決課題は、怪我の危険が殆どないキャップ付きフレームを提供することにある。
【課題を解決するための手段】
【０００７】
（キャップ付きフレーム）
本発明のキャップ付きフレームは、四本の枠材で構成された四角形の中空枠状のフレームであり、その中空枠の内側に展示物を内装可能であり、四本の枠材は四つのコーナー部に配置された連結具に開閉可能に取り付けられて、個別に外側に開く（倒す）ことも、開いた（倒れた）状態から元の状態まで起立させることもできるようにしてあり、各々の枠材は前記連結具に開閉可能に嵌合できる連結用嵌合溝と、展示物を差し込み可能な展示物差し込み溝と、展示物差し込み溝の外側面に形成された嵌合片受け溝と、展示物差し込み溝内に差し込まれた展示物を支持できる支持部を備え、前記フレームは少なくとも一本の枠材を外側に開くと、開いた箇所（開口部）から他の三本の枠材の展示物差し込み溝内に展示物の周縁部を差し込むことができ、差し込み後に、外側に開いている枠材を内側に閉じると展示物を四本の枠材の内側に内装することができるようにしてある。各々の枠材は前記連結具に取り付けて四角形の中空枠状にしても、隣接する二本の枠材の軸方向両端部同士が接合できない長さの短寸であり、四本の枠材の各々の軸方向両端に樹脂製のキャップが取り付けられて枠材の軸方向両端部が形成され、夫々のキャップは前記四本の枠材を起立させて四角形にすると、夫々のキャップの先端面（接合面）が隣接する他の枠材に取り付けられているキャップの先端面（接合面）と接合して中空枠状のコーナーを形成できるようにしてある。
【０００８】
前記キャップは、枠材の軸方向端部となるキャップ本体と、キャップ本体から突設された一又は二以上の嵌合片を備えたものである。二以上の嵌合片の場合はそれらを同じ方向に突設する。嵌合片が一つの場合はそれを枠材の溝内に嵌め込まれて枠材に一連に取り付けられ、二以上の場合は夫々の嵌合片が枠材の異なる二以上の溝内に嵌め込まれて枠材に一連に取り付けられている。
【０００９】
本発明のキャップ付きフレームは、枠体に係止溝が設けられ、キャップに係止突起が設けられ、前記係止突起が前記係止溝に係止されて、枠体に取付けられたキャップが枠体から不用意に外れないようにしてある。
【００１０】
（キャップ）
前記キャップは、展示物を内装できる四角形の中空枠のフレームを形成する四本の枠材の各々の軸方向端部に取付けるキャップであり、前記キャップは、枠材の軸方向端部を構成するキャップ本体と、キャップ本体から同じ方向に突設された第一嵌合片と第二嵌合片が樹脂で一体成型され、前記キャップ本体はその先端に、コーナーを形成する他の枠材に取付けたキャップの接合面と接合する接合面を備え、前記第一嵌合片と第二嵌合片を枠材の溝に嵌め込んで枠材に取付け可能であり、枠材の軸方向端部に取付けたキャップ本体の前記接合面は、枠材を起立させると、隣接する他の枠材に取り付けられているキャップの接合面と接合して中空枠のコーナーを形成でき、前記キャップ本体は、嵌合片を枠材の連結用嵌合溝と嵌合片受け溝に嵌め込んで枠材に取付け可能である。
【００１１】
前記キャップには枠材の係止溝に係止できる係止突起を備えることができる。
【００１２】
前記キャップには枠材の連結用嵌合溝と嵌合片受け溝への嵌合片の差し込み長を規制するストッパを備えることができる。
【発明の効果】
【００１３】
本発明のキャップ付きフレームは次のような効果がある。
（１）四本の枠材の軸方向両端に樹脂製のキャップが取り付けられているので、キャップの接合面の先端角部に指や手が触れても怪我をする危険が少ない。
（２）キャップが枠材の軸方向端部を構成するので、枠材がコーナーを形成できない短寸であっても、二本の枠材に取付けられたキャップでコーナーを形成することができる。
（３）キャップが枠材の軸方向端部を構成するので、キャップの色や形状を枠材の色や形状と異なるものにするとか、花、動物、食品、その他の所望形状にすることにより、フレームのコーナー部分に特徴（アクセント、ポイント、立体装飾等）を持たせることができ、これまでのフレームには存在しなかった斬新なデザインのフレームにとなる。
（４）第一嵌合片と第二嵌合片が枠材の連結用嵌合溝と嵌合片受け溝内に嵌め込まれているので、キャップが枠材と位置ずれことなく一列（一連）に取付けられる。
（５）枠材の係止溝にキャップの係止突起を係止すれば、キャップの不用意な抜けが防止される。
【００１４】
（６）キャップが樹脂製であるため枠材の軸方向端部に取り付けても、金属製に比して怪我をする危険が少ない。
（７）キャップ本体が枠材の軸方向端部を構成するので、キャップ本体を所望形状、デザインにして、フレームのコーナーに変化を持たせることができる。
（８）キャップ本体の先端面を、コーナーを構成する他の枠材に取り付けたキャップの先端面と接合する接合面としたので、コーナーを構成する二つの枠材のキャップの接合面同士が隙間なく接合される。
（９）キャップ本体が第一嵌合片と第二嵌合片を備えているので、それら嵌合片を枠材の連結用嵌合溝と嵌合片受け溝に嵌め込むことにより、キャップを枠材と一列に位置ずれすることなく取付けることができる。
（10）キャップの係止突起を枠材の係止溝に係止すれば、キャップが枠材から不用意に外れることがない。
（11）キャップがストッパを有するため、枠材の連結用嵌合溝と嵌合片受け溝内への嵌合片の差し込み長を一定にし易い。
【図面の簡単な説明】
【００１５】
【図１】本発明のキャップ付きフレームの一例であり、二本の枠材を横に倒した（開いた）状態の説明図。
【図２】本発明のキャップ付きフレームの一例であり、四本の枠材を起立させて中空枠にした状態の説明図。
【図３】（ａ）は連結具の一例を示す斜視図、（ｂ）は（ａ）の連結具に取付けた枠材を横に開いて展示物をセットする状態のＡ−Ａ断面図、（ｃ）は展示物を（ｂ）のようにセットしてから枠材を起立させた状態の端面図。
【図４】（ａ）は枠材の端部にキャップを取付ける場合の説明図、（ｂ）はキャップの裏面斜視図、（ｃ）は枠材の軸方向一端側の詳細斜視図。
【図５】枠材の軸方向端部にキャップを取付けた状態のコーナー部分の説明図。
【図６】図１の枠材が短寸であることを示すコーナー部分の斜視図。
【図７】（ａ）は従来の枠材の軸方向端部の斜視図、（ｂ）は枠材を横に開いて展示物をセットする状態の端面図、（ｃ）は展示物を（ｂ）のようにセットしてから枠材を起立させた状態の端面図。
【図８】従来のフレームの二本の枠材を開いた状態の説明図。
【発明を実施するための形態】
【００１６】
（キャップ付きフレームの実施形態）
本発明のフレーム１の一例として図１に示すものは、四本の細長棒状の枠材２が四つの連結具３に開閉（倒伏起立）可能に取り付けられた四角形の中空枠である。
【００１７】
四本の枠材２の各々は、図４（ｃ）に示すように、端面視円弧状の連結用嵌合溝４と、端面視略コ字状の展示物差し込み溝５と、嵌合片受け溝１８と、支持部７を備えており、それら連結用嵌合溝４と展示物差し込み溝５と嵌合片受け溝１８と支持部７は各々の枠材２の軸方向に細長に形成されている。このような形状、構造の枠材２の各々の両端部にはキャップ８（図１）が取付けられている。
【００１８】
図１に示すように、コーナー連結具３はフレーム１のコーナー部分に四個配置されており、夫々のコーナー連結具３は同一形状及び構造であり、図３（ａ）に示すように平面視略三角形であり、円弧状の嵌合突条９を備え、これら嵌合突条９に受け凹部１０が形成されている。受け凹部１０は嵌合突条９の周方向に弧状に形成され、嵌合突条９の外周面よりも一段低く形成されている。この嵌合突条９の外周に、図３（ｂ）に示すように、枠材２の連結用嵌合溝４が開閉可能、即ち、矢印Ｘ方向に開く(倒す)ことができ、矢印Ｙ方向に閉じる(起こす)ことができるように嵌合させることができ、前記受け凹部１０内に、枠材２の連結用嵌合溝４の内側に押し出してある押し込み突起１１（図３（ｃ））が嵌合して、枠材２が嵌合突条９の軸方向に位置ずれしないようにしてある。
【００１９】
各々の枠材２の展示物差し込み溝５は図３（ｃ）のように展示物６を差し込み可能な空間であり、枠材２の横幅方向内側に開口している。展示物差し込み溝５は四本の枠材２を図２のように起立させて四角形の中空枠状にすると四角形の中空枠状になり、その状態で、少なくとも一本の枠材２を図１のように外側に開くと、開いた箇所（開口部）から展示物６の周縁部６ａ（図３（ｂ））を差し込んで、図３（ｂ）、（ｃ）に示すように、枠材２の連結用嵌合溝４の周壁１３の外周面（支持部）７の上に支持することができ、支持後に、枠材２を図３（ｃ）のように内側に閉じると、展示物６を四本の枠材２の内側にセットできるようにしてある。このセット状態で、少なくとも一本の枠材２を外側に開くと、開いた箇所（開口部）から展示物６を引き出すことができる。図１のように２本の枠材２を開くと展示物６の出し入れが特に容易になる。
【００２０】
各々の枠材２の連結用嵌合溝４の周壁１３の軸方向両端側には係止溝１２（図４（ｃ））が形成されている。この係止溝１２は連結用嵌合溝４の円弧状の周壁１３（図４（ｃ））の開口部側に開口する開口部１２ａを備え、その開口部１２ａ側から周壁１３の頂部側に向けて細長に形成されている。図４（ａ）（ｃ）における２ａは枠材２の軸方向の端面である。
【００２１】
各々の枠材２の長さは、図６に示すように四角形のフレーム１の一片の長さよりも短くして（短寸にして）、枠材２の軸方向両端部がコーナーを形成する他の枠材２の軸方向端部と接合しないようにしてある。この枠材２の軸方向両端部にキャップ８（図６に仮想線で示す）を取付けると、そのキャップ８が枠材２の軸方向端部となって（端部を構成して）、二本の枠材２のキャップ８の先端面（接合面）８ａ同士が突き合わされて中空枠のコーナーが形成されるようにしてある。
【００２２】
（枠材用キャップの実施形態）
前記キャップ８は、図４（ａ）、（ｂ）に示すように、キャップ本体１５と第一嵌合片１６と第二嵌合片１７の二つの嵌合片が樹脂で一体に成型されており、第一嵌合片１６と第二嵌合片１７はキャップ本体１５から同じ方向に突設されている。第一嵌合片１６（図４（ａ）、（ｂ））からは第一差込み片１６ａ及び係止突起１９が突設され、前記第二嵌合片１７からは第二差込み片１７ａが突設されている。第一嵌合片１６の第一差込み片１６ａを枠材２の連結用嵌合溝４内に嵌め込み、第二嵌合片１７の第二差込み片１７ａを枠材２の受け溝１８（図４（ａ）、（ｃ））内に嵌め込むと、キャップ本体１５が枠材２の軸方向に一連に連結されて枠材２の軸方向端部の一部を構成する。
【００２３】
第二嵌合片１７（図５）の第二差込み片１７ａの外形は、枠材２の連結用嵌合溝４の内形と略同じ形状及びサイズにして連結用嵌合溝４内にはめ込むことができ、第一嵌合片１６の第一差込み片１６ａの外形は枠材２の嵌合片受け溝１８の内形と略同じ形状及びサイズにして嵌合片受け溝１８内に嵌め込むことができるようにしてある。この場合、第一嵌合片１６と第二嵌合片１７の夫々は弾性を備えており、夫々、連結用嵌合溝４、嵌合片受け溝１８内に圧入すると前記弾性で自動的に復元して、夫々の外周面が連結用嵌合溝４、嵌合片受け溝１８の内面に圧接して図５のように枠材２に取付けられる。
【００２４】
前記キャップ８の第一嵌合片１６の第一差込み片１６ａの先端には、図４（ａ）、（ｂ）に示すように係止突起１９（図４（ａ）、（ｂ））を設けてある。係止突起１９は第一嵌合片１６の第一差込み片１６ａを連結用嵌合溝４に圧入すると、連結用嵌合溝４の周壁１３に形成されている係止溝１２（図４（ｃ））に係止できるように、第一嵌合片１６の第一差込み片１６ａから外側向きに突設されている。
【００２５】
前記キャップ８には、第一嵌合片１６の第一差込み片１６ａが連結用嵌合溝４内に、第二嵌合片１７の第二差込み片１７ａが嵌合片受け溝１８内に必要以上に差し込まれないようにする（差し込み長を規制する）ストッパ２０（図４（ｂ））が形成されている。ストッパ２０はキャップ本体１５の肉厚を第一嵌合片１６の第一差込み片１６ａ及び第二嵌合片１７の第二差込み片１７ａよりも肉厚に成型することにより、キャップ本体１５と第一嵌合片１６の第一差込み片１６ａ及び第二嵌合片１７の第二差込み片１７ａの付け根部分（突出根元部分）に段差を設けて形成されている。
【００２６】
本発明における枠材２及びコーナー連結具３は、前記のように互いに開閉可能に取り付け可能であり、いずれか一本の枠材２を開くことにより展示物６を出し入れできれば、前記実施形態以外の構造、形状、寸法であってもよい。本発明におけるキャップ８は枠材２の軸方向端部を構成でき、枠材２の起立時に接合面同士が接合してフレームのコーナーを形成できれば、他の形状であってもよく、接合面も斜面ではなく、二本の枠材の起立時に両枠材でコーナーが形成されるように接合できれば、互いに嵌合できる凹凸構造とか、他の構造であってもよい。
【００２７】
前記実施形態は、嵌合片が第一嵌合片１６と、第二嵌合片１７の二つであり、第一嵌合片１６が枠材の連結用嵌合溝４内に嵌め込まれ、第二嵌合片１７が枠材２の嵌合片受け溝１８内に嵌め込まれる場合であるが、嵌合片は一つであっても三以上であってもよく、それら嵌合片は枠材２に設けた溝（連結用嵌合溝４、嵌合片受け溝１８、嵌合片差し込み用に設けたその他の溝等）内に嵌め込んで、枠材に一連に取り付けるようにすることもできる。
【産業上の利用可能性】
【００２８】
本発明のフレームは、既存の額縁に変えて、各種展示物の額装に利用することができる。
【符号の説明】
【００２９】
１    フレーム
２    枠材
２ａ （枠材の）端面
３    コーナー連結具
４    連結用嵌合溝
５    展示物差し込み溝
６    展示物
６ａ  （展示物の）周縁部
７    嵌合溝の周壁外周面（支持部）
８    キャップ
８ａ  接合面
９    （連結具の）嵌合突条
１０    受け凹部
１１    押し込み突起
１２    係止溝
１２ａ 開口部
１３    （連結用嵌合溝の）周壁
１５    キャップ本体
１６    第一嵌合片
１６ａ （第一嵌合片の）第一差込み片
１７    第二嵌合片
１７ａ （第二嵌合片の）第二差込み片
１８    嵌合片受け溝
１９    係止突起
２０    ストッパ
Ａ    フレーム
Ｂ    連結具
Ｃ    枠材
Ｄ    展示物
Ｅ    受縁
Ｆ    支持溝
Ｇ    角部
【図１】
0006045853.tif 000002
【図２】
0006045853.tif 000003
【図３】
0006045853.tif 000004
【図４】
0006045853.tif 000005
【図５】
0006045853.tif 000006
【図６】
0006045853.tif 000007
【図７】
0006045853.tif 000008
【図８】
0006045853.tif 000009